(57)【要約】【課題】壁面に設けられた排水配管と水洗便器本体の排水管の位置が整合していなくても、また、排水配管が設けられた壁面等の条件が好ましくない場合にも、水洗便器本体の排水路を壁面の排水配管に容易且つ確実に連結することができる排水ソケット、水洗便器、及び、水洗便器設置方法を提供する。【解決手段】本発明は、壁面（Ｗ）に設けられた排水配管（Ｄ）の入口端部と水洗便器本体（２）の排水路（１２）の出口端部とを連通させる水洗便器の排水ソケット（４）である。排水ソケットは、排水路の出口端部に連結される流入口と上記排水配管の入口端部に連結される流出口とを備えた排水ソケット本体（１４）と、床面上に配置され排水ソケット本体を下方から支持する支持部材（１６）と、を有する。この支持部材は、排水ソケット本体の床面からの高さを排水配管の床面からの高さとほぼ一致するように調整する高さ調整手段を有する。【選択図】      図１
2005048407.tif 000002
【特許請求の範囲】
【請求項１】
壁面に設けられた排水配管の入口端部と水洗便器本体の排水路の出口端部とを連通させる水洗便器の排水ソケットであって、
上記排水路の出口端部に連結される流入口と上記排水配管の入口端部に連結される流出口とを備えた排水ソケット本体と、
床面上に配置され上記排水ソケット本体を下方から支持する支持部材と、を有し、
この支持部材が、上記排水ソケット本体の床面からの高さを上記排水配管の床面からの高さとほぼ一致するように調整する高さ調整手段を有することを特徴とする水洗便器の排水ソケット。
【請求項２】
上記排水ソケットの流入口は、ほぼ鉛直上方に向けて開口するように設けられており、さらに、上記水洗便器本体の排水路との連結部分が重なっている請求項１記載の水洗便器の排水ソケット。
【請求項３】
上記支持部材の高さ調整手段は、上記床面に配置され鉛直方向に延びる長孔が形成されたプレート部材と、このプレート部材の長孔に上下移動可能に貫通し上記排水ソケット本体をプレート部材の所定高さ位置に固定する固定部材と、を有する請求項１又は請求項２に記載の水洗便器の排水ソケット。
【請求項４】
上記支持部材の高さ調整手段は、上記排水ソケット本体の下方側に一体的に設けられた第１調整部材と、この第１部材の下方で且つ床面上に配置された第２調整部材と、これらの第１調整部材及び第２調整部材のぞれぞれに形成され、これらの両部材を連結する雄ネジ部又は雌ネジ部とを有し、上記第１調整部材及び第２調整部材を相対的に回転させることにより、上記排水ソケット本体の床面からの高さを調整するようになっている請求項１又は請求項２に記載の水洗便器の排水ソケット。
【請求項５】
上記支持部材の高さ調整手段は、上記排水ソケット本体の下部又は側方に設けられた傾斜平面部と、上端面がこの傾斜平面部と係合するように上記傾斜平面部と床面との間で水平方向移動可能に設けられた台座部材とを有し、この台座部材が水平方向移動することにより、上記排水ソケット本体の床面からの高さを調整するようになっており、さらに、この台座部材は、複数の着脱自在の調整部材を有し、この調整部材の着脱により、上記排水ソケット本体の床面からの高さを調整するようになっている請求項１又は請求項２に記載の水洗便器の排水ソケット。
【請求項６】
上記排水ソケット本体は、上記排水ソケット本体が支持される位置が変化してもその流入口を上記排水路の出口端部に連結できるように伸縮可能な蛇腹部を有する請求項１乃至請求項５の何れか１項に記載の水洗便器の排水ソケット。
【請求項７】
排水路の出口端部が鉛直下方に向けて形成された水洗便器本体と、
上記排水路の出口端部と壁面に設けられた排水配管の入口端部とを連通させる水洗便器の排水ソケットと、を有し、
この排水ソケットが、
上記排水路の出口端部に連結される流入口と上記排水配管の入口端部に連結される流出口とを備えた排水ソケット本体と、
床面上に配置され上記排水ソケット本体を下方から支持する支持部材と、を有し、
この支持部材が、上記排水ソケット本体の床面からの高さを上記排水配管の床面からの高さとほぼ一致するように調整する高さ調整手段を有することを特徴とする水洗便器。
【請求項８】
水洗便器本体の排水路の出口端部を壁面に設けられた排水配管の入口端部に排水ソケットを介して連通させて水洗便器を設置する方法であって、
上記排水路の出口端部に連結される流入口と上記排水配管の入口端部に連結される流出口とを備えた排水ソケット本体と、上記排水ソケット本体を下方又は側方から支持する支持部材であって、上記排水ソケット本体の床面からの高さを上記排水配管の床面からの高さとほぼ一致するように調整する高さ調整手段を有する上記支持部材を有する排水ソケットを準備する工程と、
上記排水ソケット本体の床面からの高さを上記排水配管の床面からの高さとほぼ一致するように調整し上記排水ソケット本体の流出口を上記排水配管の入口端部に挿入固定し、この状態で上記排水ソケット本体を床面に固定する工程と、
上記水洗便器本体を、上記水洗便器本体の排水路の出口端部が上記排水ソケット本体の流入口に挿入されるように配置し、その状態で上記床面に固定する工程と、
を有することを特徴とする水洗便器の設置方法。
【請求項９】
水洗便器本体の排水路の出口端部を壁面に設けられた排水配管の入口端部に排水ソケットを介して連通させて水洗便器を設置する方法であって、
上記排水路の出口端部に連結される流入口と上記排水配管の入口端部に連結される流出口とを備えた排水ソケット本体と、上記排水ソケット本体を下方又は側方から支持する支持部材であって、上記排水ソケット本体の床面からの高さを上記排水配管の床面からの高さとほぼ一致するように調整する高さ調整手段を有する上記支持部材を有する排水ソケットを準備する工程と、
上記排水ソケット本体の床面からの高さを上記排水配管の床面からの高さとほぼ一致するように調整し上記排水ソケット本体の流出口を上記排水配管の入口端部にフランジ及びシール部材を介して固定し、この状態で上記排水ソケット本体を床面に固定する工程と、
上記水洗便器本体を、上記水洗便器本体の排水路の出口端部が上記排水ソケット本体の流入口に挿入されるように配置し、その状態で上記床面に固定する工程と、
を有することを特徴とする水洗便器の設置方法。
【発明の詳細な説明】
【０００１】
【発明の属する技術分野】
本発明は、排水ソケット、水洗便器、及び、水洗便器の設置方法に係り、特に、水洗便器本体の排水路を壁面に設けられた排水配管に連結するための排水ソケット、この排水ソケットを使用した水洗便器、及び、水洗便器の設置方法に関する。
【０００２】
【従来の技術】
従来、水洗便器本体の排水路を壁面に設けられた排水配管に連結する所謂床上式水洗便器には２タイプあり、この水洗便器を設置するには、水洗便器の排水路が後方に向って水平に突出する構造を有す排水路の外周にパッキンを被せ、排水路の位置が壁面に開口した排水配管と合うように水洗便器を置き、次に、水洗便器を排水配管の方に水平方向に押すことによって、排水路を排水配管に押し込んで排水路と排水配管を連結するやりかたと、同様に、水洗便器の排水路が後方に向って水平に引出されその端部付近に所謂フランジ平面を有する排水路の位置が壁面に開口した排水配管と合うように水洗便器を置き、前記排水配管にフランジを取付け、その上にシール部材を貼り付ける。次に、水洗便器を排水配管の方に水平方向に押し、シール部材を介してフランジ部に排水路端面を押し付け。前記フランジ平面に設けられた穴とフランジ部に構成された固定穴とをネジによって締付けることで排水路と排水配管を連結する方法とがある。
【０００３】
例えば、特許文献１に記載されているようなＬ字形の連通部材を使用する方法が知られている。この配管方法においては、図３２に示すように、水洗便器２００の鉛直下方に向けられた排水路２０２と、壁面Ｗに設けられた排水配管ＤとをＬ字形の連通部材２０４によって接続する。この連通部材２０４はＬ字形のパイプ状で、排水配管Ｄに連結される方の端部にフランジ２０６が取付けられている。この連通部材２０４を用いて水洗便器２００を設置する場合には、まず、排水配管Ｄと連通部材２０４のパイプが接続されるように、連通部材２０４のフランジ２０６を壁面Ｗに取付ける。次に、連通部材２０４のフランジ２０６が取付けられていない方の端部に水洗便器の排水路２０２が上方から挿入されるように、水洗便器２００を床面Ｆに設置する。
【０００４】
【特許文献１】
特開平１１−２５６６６２号公報
【０００５】
【発明が解決しようとする課題】
しかしながら、排水路が後方に向って水平に突出する構造の水洗便器を設置する場合、壁面に開口した排水配管の床面からの距離が必ずしも規格通りではなく、排水路と排水配管の位置が整合しないという問題がある。従来の水洗便器の設置方法において、このような問題は、排水路を排水配管に挿入固定するタイプでは、排水路の外周と排水配管との内周との間にパッキンを設置するための間隙があること、及び、排水配管を弾性変形させて排水配管の位置を僅かに変位させること等により、また、フランジを介して締付け固定するタイプでは、フランジ面に設けられた固定穴に余裕をもたせ、シール部材を変形させてゆくことで回避されてきた。しかしながら、排水路の中心軸線と排水配管の中心軸線が著しくずれている場合には、それらの間にあるパッキンの弾性変形が不均一となる、あるいは、シール部材の変形が大きくなり隙間があいたり、強く押し付けられ薄くなることで、パッキンの水密、気密性に支障をきたす可能性があるという問題がある。また、この状態で、排水配管を排水路と排水配管の位置を無理に整合させた場合には、排水路又は排水配管を破損してしまう可能性があるという問題もある。
【０００６】
一方、図３２に示す従来のＬ字形の連通部材２０４を用いた水洗便器２００の設置方法においては、フランジ２０６によって壁面Ｗに取付けられた連通部材２０４の上方に向けられた端部に、水洗便器２００の下方に向けられた排水路２０２を挿入している。従って、壁面Ｗに開口している排水配管Ｄの高さに誤差があったとしても、連通部材２０４の中に差込まれる排水路２０２の差込しろを増減することによって誤差を吸収することができる。しかしながら、水洗便器２００の排水路２０２を連通部材２０４の中に押し込む際、それらの間に配置されたパッキン２１０を押しつぶす必要があるので、連通部材２０４は下方に向う力を受ける。連通部材２０４を取付けた壁面Ｗの強度、又は、連通部材２０４自体の強度が低い場合には、連通部材２０４を下方に押す力によって連通部材２０４の先端が下方に押し下げられてしまう。この連通部材２０４の位置のずれにより、連通部材２０４の端部に水洗便器２００の排水路２０２が斜めに差込まれる場合があり、この場合には、それらの間に配置されたパッキン２１０の水密、気密性に支障をきたす可能性があるという問題がある。また、連通部材２０４を取付ける壁面Ｗが傾斜している場合にも同様の問題が起る可能性がある。
【０００７】
本発明は、上述した従来技術の問題を解決するためになされたものであり、壁面に設けられた排水配管と水洗便器本体の排水管の位置が整合していなくても、また、排水配管が設けられた壁面等の条件が好ましくない場合にも、水洗便器本体の排水路を壁面の排水配管に容易且つ確実に連結することができる排水ソケット、水洗便器、及び、水洗便器設置方法を提供することを目的としている。
【０００８】
【課題を解決するための手段】
上記の目的を達成するために、本発明は、壁面に設けられた排水配管の入口端部と水洗便器本体の排水路の出口端部とを連通させる水洗便器の排水ソケットであって、排水路の出口端部に連結される流入口と上記排水配管の入口端部に連結される流出口とを備えた排水ソケット本体と、床面上に配置され排水ソケット本体を下方から支持する支持部材と、を有し、この支持部材が、排水ソケット本体の床面からの高さを排水配管の床面からの高さとほぼ一致するように調整する高さ調整手段を有することを特徴としている。
【０００９】
このように構成された本発明においては、壁面に設けられた排水配管の入口端部と水洗便器本体の排水路の出口端部とを連通させる場合、支持部材により排水ソケット本体が下方から支持されると共に、この支持部材の高さ調整手段により、排水ソケット本体の流出口の高さ位置が壁面に設けられた排水配管の高さ位置と整合するように、排水ソケット本体の高さ位置が調整される。この状態で、排水ソケット本体の流入口は排水路の出口端部に連結され、排水ソケット本体の流出口は排水配管の入口端部に連結される。この結果、本発明によれば、壁面に設けられた排水配管と水洗便器本体の排水管の位置が整合していなくても、また、排水配管が設けられた壁面等の条件が好ましくない場合にも、水洗便器本体の排水路を壁面の排水配管に容易且つ確実に連結することができる。
【００１０】
本発明において、好ましくは、排水ソケットの流入口は、ほぼ鉛直上方に向けて開口するように設けられており、さらに、水洗便器本体の排水路との連結部分が重なっている。
【００１１】
このように構成された本発明においては、ほぼ鉛直上方に向けて開口した排水ソケット本体の流入口に、ほぼ鉛直下方に向けて開口した水洗便器本体の排水路の出口端部が連結される。また、排水ソケット本体の流入口と排水路との連結部分の重なり量を増減させることによって、排水配管の高さのずれを吸収することができる。
【００１２】
本発明において、好ましくは、支持部材の高さ調整手段は、床面に配置され鉛直方向に延びる長孔が形成されたプレート部材と、このプレート部材の長孔に上下移動可能に貫通し排水ソケット本体をプレート部材の所定高さ位置に固定する固定部材と、を有する。
【００１３】
このように構成された本発明においては、排水配管と排水ソケット本体の流出口の高さ位置が整合するように、支持部材に設けられた長孔の中で固定部材を上下方向に移動させ、この固定部材により、排水ソケット本体をプレート部材の所定高さ位置に固定する。この結果、本発明によれば、非常に簡単な機構で、排水ソケット本体の高さ調節を行うことができる。
【００１４】
本発明において、好ましくは、支持部材の高さ調整手段は、排水ソケット本体の下方側に一体的に設けられた第１調整部材と、この第１部材の下方で且つ床面上に配置された第２調整部材と、これらの第１調整部材及び第２調整部材のぞれぞれに形成されこれらの両部材を連結する雄ネジ部又は雌ネジ部とを有し、第１調整部材及び第２調整部材を相対的に回転させることにより、排水ソケット本体の床面からの高さを調整するようになっている
【００１５】
このように構成された本発明においては、第１調整部材及び第２調整部材は、それらに形成された雄ネジ部及び雌ネジ部によって連結されており、第１調整部材と第２調整部材を相対的に回転させることにより、排水ソケット本体の床面からの高さを調整することができる。このようにして、第１調整部材及び第２調整部材を相対的に回転させるだけで、非常に簡単に排水ソケット本体の高さ調節を行うことができる。
【００１６】
本発明において、好ましくは、支持部材の高さ調整手段は、排水ソケット本体の下部又は側方に設けられた傾斜平面部と、上端面がこの傾斜平面部と係合するように傾斜平面部と床面との間で水平方向移動可能に設けられた台座部材とを有し、この台座部材が水平方向移動することにより、排水ソケット本体の床面からの高さを調整するようになっており、さらに、この台座部材は、複数の着脱自在の調整部材を有し、この調整部材の着脱により、排水ソケット本体の床面からの高さを調整するように構成することができる。
【００１７】
このように構成された本発明においては、排水ソケット本体に設けられた傾斜平面部と、台座部材の上端面が係合することにより、排水ソケット本体が支持される。排水ソケット本体に設けられた傾斜平面部は傾斜しているので、排水ソケットの鉛直方向位置が変化しても、台座部材の位置を床面上で水平方向に移動させることによって傾斜平面部と台座部材の上端面を係合させることができる。また、台座部材は、複数の着脱自在の調整部材を有しており、装着する調整部材の数を変化させることによって、排水ソケットの鉛直方向位置が大きく変化した場合にも傾斜平面部と上端面を係合させることができる。この結果、本発明によれば、より広い範囲で排水ソケット本体の位置を調整することができる。
【００１８】
本発明において、好ましくは、排水ソケット本体は、排水ソケット本体が支持される位置が変化してもその流入口を排水路の出口端部に連結できるように伸縮可能な蛇腹部を有する。
【００１９】
このように構成された本発明においては、排水配管の高さが低い場合には、排水ソケット本体の蛇腹部を伸張させ、排水配管の高さが高い場合には、排水ソケット本体の蛇腹部を収縮させることによって、排水ソケット本体の流入口と排水路とを連結する。このようにして、排水配管の高さのより大きなずれに対応することができる。
【００２０】
本発明の水洗便器は、排水路の出口端部が鉛直下方に向けて形成された水洗便器本体と、排水路の出口端部と壁面に設けられた排水配管の入口端部とを連通させる水洗便器の排水ソケットと、を有し、この排水ソケットが、排水路の出口端部に連結される流入口と排水配管の入口端部に連結される流出口とを備えた排水ソケット本体と、床面上に配置され排水ソケット本体を下方から支持する支持部材と、を有し、この支持部材が、排水ソケット本体の床面からの高さを排水配管の床面からの高さとほぼ一致するように調整する高さ調整手段を有することを特徴としている。
【００２１】
本発明は、水洗便器本体の排水路の出口端部を壁面に設けられた排水配管の入口端部に排水ソケットを介して連通させて水洗便器を設置する方法であって、排水路の出口端部に連結される流入口と排水配管の入口端部に連結される流出口とを備えた排水ソケット本体と、排水ソケット本体を下方又は側方から支持する支持部材であって、排水ソケット本体の床面からの高さを排水配管の床面からの高さとほぼ一致するように調整する高さ調整手段を有する支持部材を有する排水ソケットを準備する工程と、排水ソケット本体の床面からの高さを排水配管の床面からの高さとほぼ一致するように調整し排水ソケット本体の流出口を排水配管の入口端部に挿入固定し、この状態で排水ソケット本体を床面に固定する工程と、水洗便器を、水洗便器の排水路の出口端部が排水ソケット本体の流入口に挿入されるように配置し、その状態で床面に固定する工程と、を有することを特徴としている。
【００２２】
本発明は、水洗便器本体の排水路の出口端部を壁面に設けられた排水配管の入口端部に排水ソケットを介して連通させて水洗便器を設置する方法であって、排水路の出口端部に連結される流入口と排水配管の入口端部に連結される流出口とを備えた排水ソケット本体と、排水ソケット本体を下方又は側方から支持する支持部材であって、排水ソケット本体の床面からの高さを排水配管の床面からの高さとほぼ一致するように調整する高さ調整手段を有する支持部材を有する排水ソケットを準備する工程と、排水ソケット本体の床面からの高さを排水配管の床面からの高さとほぼ一致するように調整し排水ソケット本体の流出口を排水配管の入口端部にフランジ及びシール部材を介して固定し、この状態で排水ソケット本体を床面に固定する工程と、水洗便器本体を、水洗便器本体の排水路の出口端部が排水ソケット本体の流入口に挿入されるように配置し、その状態で床面に固定する工程と、を有することを特徴としている。
【００２３】
【発明の実施の形態】
次に、添付図面を参照して、本発明の実施形態による排水ソケット、水洗便器及び水洗便器の設定方法を説明する。
まず、図１乃至図８により、本発明の第１実施形態による水洗便器を説明する。図１は本発明の第１実施形態の水洗便器を示す全体縦断面図であり、図２は水洗便器の排水ソケットを示す拡大断面図であり、図３乃至図８は、本発明の第１実施形態の水洗便器の設置方法における各工程を示す断面図である。
【００２４】
図１に示すように、本発明の第１実施形態の水洗便器１は、陶器製の水洗便器本体２と、この水洗便器本体２の排水路の出口端部と壁面Ｗに設けられた排水配管Ｄとを連結する排水ソケット４と、を有する。水洗便器本体２は、給水タンク６と、ボウル部８と、このボウル部８の底部から斜め上方に延びる入口水路１０と、この入口水路１０と連通して下方に延び、鉛直下方に向って開口する排水路１２と、を有する。水洗便器本体２は、給水タンク６に溜められた水が所定の水路（図示せず）を通ってボウル部８に流入し、ボウル部８の中の水は入口水路１０の中を上昇し、トラップ排水路の最高点を通過した後、下方に向って延びる排水路１２を通って流出するように構成されている。
【００２５】
図２（ａ）は排水ソケット４の拡大断面図であり、図２（ｂ）は排水ソケット４の側面図で、Ｌ字形金具のみを示している。図２（ａ）、（ｂ）に示すように、排水ソケット４は、Ｌ字形に湾曲した排水ソケット本体１４と、支持部材であるＬ字形金具１６と、水平方向に突出するように排水ソケット本体１４に取付けられたボルト部材１８と、ボルト部材１８と螺合してＬ字形金具１６を締付けるナット２０と、を有する。また、排水ソケット本体１４の流入口１４ａには、パッキン２２が嵌め込まれ、流出口１４ｂの外周には、パッキン２４が取付けられている。排水ソケット本体１４は、塩化ビニール等のプラスチック材料で構成するのが良い。Ｌ字形金具１６は。排水ソケット本体１４を支持する機能と、排水ソケット本体１４の高さを調整する機能を備えている。
【００２６】
排水ソケット本体１４は、概ねＬ字形のパイプ状であり、流入口１４ａが鉛直上方に向って開口し、流出口１４ｂが水平方向に向って開口するように配置される。流入口１４ａは、水洗便器本体２の排水路１２の出口端部を受け入れ、パッキン２２によって排水路１２との間で水密性、気密性を保持することができるような形状になっている。また、流出口１４ｂは、壁面Ｗに設けられた排水配管Ｄの入口端部に挿入され、パッキン２４によって排水配管Ｄとの間で水密性、気密性を保持することができるような形状になっている。また、排水ソケット本体１４のＬ字形の外側の角部分には、流出口１４ｂと反対の水平方向に突出するようにボルト部材１８が取付けられている。
【００２７】
Ｌ字形金具１６は、Ｌ字形に折り曲げられたプレート部材であり、Ｌ字形の短い方の辺には、Ｌ字形金具１６を固定ネジによって床面Ｆに取付けるための孔１６ａが設けられている。また、Ｌ字形金具１６のＬ字形の長い方の辺には長手方向に延びる長孔１６ｂが設けられている。排水ソケット本体１４から突出したボルト部材１８には、Ｌ字形金具１６の長孔１６ｂが通され、ナット２０が螺合されている。Ｌ字形金具１６及びその長孔１６ｂ、ボルト部材１８、及びナット２０は、高さ調整手段を構成する。
【００２８】
次に、図３乃至図８を参照して、本発明の第１実施形態の水洗便器１の設置方法を説明する。本発明の第１実施形態の水洗便器１は、図３に示すように、排水配管Ｄが壁面Ｗに設けられた床面Ｆに設置される。まず、図４に示すように、Ｌ字形金具１６の短い方の辺を水洗便器を設置すべき床面Ｆに当て、排水ソケット本体１４の流出口１４ｂの高さが壁面Ｗに設けられた排水配管Ｄの入口端部の高さと整合しているかどうかを確認する。高さが整合していない場合には、図５に示すように、ボルト部材１８が、Ｌ字形金具１６の長孔１６ｂの中で移動することができるようにナット２０を緩める。次に、Ｌ字形金具１６の短い方の辺が床面Ｆに当接した状態で、排水ソケット本体１４の流出口１４ｂと排水配管Ｄが整合する位置に排水ソケット本体１４を移動させ、ナット２０を締める。次いで、図６に示すように、流出口１４ｂを排水配管Ｄの中に挿入する。流出口１４ｂと排水配管Ｄとの間にはパッキン２４が配置されているので、流出口１４ｂと排水配管Ｄの間の水密性、気密性は確保される。さらに、図７に示すように、固定ネジ２１をＬ字形金具１６の孔１６ａを通して床面Ｆにねじ込み、Ｌ字形金具１６を床面Ｆに固定する。好ましくは、この状態で、排水ソケット本体１４の流入口１４ａが正確に鉛直上方に向けられていることを確認する。流入口１４ａが鉛直上方に向いていない場合には、ナット２０を緩めて排水ソケット本体１４の向きを微調整する。
【００２９】
排水ソケット本体１４が正確な向きに固定されたならば、図８に示すように、水洗便器本体２の排水路１２の出口端部が、排水ソケット本体１４の流入口１４ａに挿入されるように、水洗便器本体２を配置する。この際、水洗便器本体２の排水路１２は、排水ソケット本体１４の流入口１４ａのパッキン２２を変形させながら排水ソケット本体１４に挿入されるので、排水ソケット本体１４は、鉛直下向きの力を受ける。しかしながら、排水ソケット本体１４は、一端が排水配管Ｄの中に挿入されて支持され、他端がＬ字形金具１６によって下方から支持されているので、鉛直下向きの力によって下方に移動することがない。また、壁面Ｗの排水配管Ｄの高さが水洗便器本体２の設計値と異なっている場合には、排水路１２の出口端部が流入口１４ａに挿入される長さが変化するが、この変化は、排水路１２と流入口１４ａとの間の水密性、気密性に影響を与えない。
最後に、水洗便器本体２をボルト（図示せず）で床面Ｆに固定して、水洗便器１の設置を完了する。なお、排水ソケット本体１４の流入口１４ａの水平方向位置は、排水ソケット本体１４の寸法、形状によって規定される。本実施形態において、排水ソケット本体１４は、設置する水洗便器本体２の排水路１２の水平方向位置に適合するようにを形成されているので、水平方向位置の調整を行う必要はない。また、水洗便器本体２を所定の位置よりも壁面Ｗから離して設置する必要がある場合には、水平方向に長く形成された排水ソケット本体を用意することによって対応することができる。
【００３０】
本発明の第１実施形態の水洗便器によれば、排水配管の高さに誤差がある場合にも確実に配管を行うことができる。また、本発明の第１実施形態の水洗便器によれば、排水ソケットが排水配管と床面によって両端で強固に支持されているので、水洗便器本体を配置するときに、排水ソケットの向きがずれてしまうことがない。このため、排水ソケットと排水配管、及び、排水ソケットと排水路との間で接続不良を起こすことがない。
【００３１】
また、変形例として、上述した実施形態においては、壁面Ｗの排水配管Ｄの高さの変化を、排水路１２が流入口１４ａに挿入される長さの変化によって吸収しているが、他の構成を採用することもできる。例えば、図９に示すように、排水ソケット本体１４の流入口１４ａ付近の管を伸縮自在の蛇腹構造１４ｃとしても良い。この構成においては、排水配管Ｄの位置が低い場合には、蛇腹構造の長さを長く、排水配管Ｄの位置が高い場合には、蛇腹構造の長さを短くすることによって、排水配管Ｄの高さの変化を吸収することができる。この構成によれば、より大きな排水配管Ｄの高さの変化に対応することができる。
【００３２】
次に、図１０乃至図２０を参照して、本発明の第２実施形態の水洗便器を説明する。第２実施形態に関しては、第１実施形態と同様の構成については説明を省略し、異なる部分のみ説明する。図１０（ａ）は本発明の第２実施形態の水洗便器に使用されている排水ソケットの縦断面図であり、図１０（ｂ）は排水ソケットの平面図である。また、図１１乃至図１３は、本発明の第２実施形態の水洗便器の排水ソケットの作用を示す断面図である。さらに、図１４乃至図２０は、本発明の第２実施形態の水洗便器の設置方法を示す断面図である。
【００３３】
図１０（ａ）、（ｂ）に示すように、本発明の第２実施形態の水洗便器に使用される排水ソケット３０は、排水ソケット本体３２と、この排水ソケット本体３２と高さ調節可能に連結された支持部材である台座部３４と、を有する。排水ソケット３０は、塩化ビニール等のプラスチック材料で構成するのが良い。
【００３４】
排水ソケット本体３２は、鉛直上方に向けて開口した流入口３２ａと、水平方向に向けて開口した流出口３２ｂと、を有する。流入口３２ａにはパッキン２２が、流出口３６ｂにはパッキン２４が、夫々取付けられている。また、排水ソケット本体３２は、円錐状に広がりながら下方に延びるスカート部３２ｃと、スカート部３２ｃの中心で鉛直下方に延びている柱状部材３２ｄと、を有する。さらに、柱状部材３２ｄの下端には、鉛直方向に雌ネジ部３２ｅが形成されている。
【００３５】
台座部３４は、長方形板状のベース３４ａと、長方形板状のベース３４ａの中央に配置されたの円板状の隆起部３４ｂと、を有する。隆起部３４ｂの中心には、鉛直上方に突出するように雄ネジ部３４ｃが形成されている。また、ベース３４ａには、排水ソケット３０を床面Ｆに固定するための２つの孔３４ｄが設けられている。ベース３４ａは、上方から見て上下、左右対称に構成されている。柱状部材３２ｄ及び台座部３４は、夫々、第１調整部材及び第２調整部材として機能し、第１調整部材、第２調整部材、及びそれらに形成された雌ネジ部３２ｅ、雄ネジ部３４ｃは、高さ調整手段を構成する。
【００３６】
隆起部３４ｂから突出する雄ネジ部３４ｃに、柱状部材３２ｄに形成された雌ネジ部３２ｅを螺合させることにより、排水ソケット本体３２と台座部３４が高さ調節可能に連結される。図１０（ａ）に示すように、雄ネジ部３４ｃが雌ネジ部３２ｅに完全にねじ込まれたとき、排水ソケット本体３２の高さは最も低くなり、図１１に示すように、雌ネジ部３２ｅを緩めると排水ソケット本体３２の高さは高くなり、図１２に示すように、雌ネジ部３２ｅを最大限緩めた位置で排水ソケット本体３２の高さは最も高くなる。好ましくは、図１３に示すように、高さ調節が完了した後に、排水ソケット本体３２と台座部３４との相対的な回転を止めるための回転止め部品４６を取り付けることができるように構成する。例えば、回転止め部品４６は、排水ソケット本体３２及び台座部３４に夫々設けられた孔４６ａ、４６ｂを貫通するコの字形のピン部材として構成することができる。
【００３７】
次に、本発明の第２実施形態の水洗便器の設置方法を説明する。まず、図１４に示すように、排水ソケット３０を排水配管Ｄの近くの床面Ｆに配置する。次に、図１５に示すように、排水ソケット本体３２を回転させ、流出口３２ｂと排水配管Ｄの高さが整合するまで、雄ネジ部３４ｃと螺合している雌ネジ部３２ｅを緩める。ただし、ベース３４ａの長辺と流出口３２ｂが開口する方向は直角になる必要があるので、排水ソケット本体３２がこのような向きになるように調整する。また、図１６に示すように、排水ソケット本体３２の流出口３２ｂが、排水配管Ｄの正反対の位置で整合した場合には、図１７に示すように、排水ソケット３０を台座部３４ごと１８０゜回転させて排水ソケット本体３２の方向を整合させる。なお、雄ネジ部３４ｃのネジ山のピッチは排水ソケット本体３２に要求される位置決め公差よりも十分小さいので、ベース３４ａの長辺と流出口３２ｂの開口方向が直角になるように調整しても十分な精度で流出口３２ｂと排水配管Ｄを整合させることができる。
【００３８】
高さ調整をした後、図１８に示すように、回転止め部品４６を使用して排水ソケット本体３２と台座部３４との相対的な回転を止め、排水ソケット本体３２の流出口３２ｂを排水配管Ｄに挿入する。流出口３２ｂと排水配管Ｄの間の水密性、気密性は、パッキン２４により確保される。次に、図１９に示すように、ベース３４ａの孔３４ｄに固定ネジ４９を通してベース３４ａを床面Ｆに固定する。次いで、図２０に示すように、水洗便器本体２を、水洗便器本体２の排水路１２の出口端部が排水ソケット本体３２の流入口３２ａに挿入されるように配置する。この際、排水ソケット本体３２には鉛直下方に向う力が作用するが、排水ソケット本体３２は台座部３４によって下方から支持されているので、排水ソケット本体３２の位置は変化しない。また、流入口３２ａと水洗便器本体の排水路の間の水密性、気密性は、パッキン２２によって確保される。最後に、水洗便器本体をボルトで床面Ｆに固定して水洗便器の設置を終了する。
【００３９】
本発明の第２実施形態の水洗便器によれば、排水ソケット本体３２が台座部３４によって真下から支持されているので、より堅固に排水ソケット本体３２を保持することができる。
【００４０】
また、第２実施形態の水洗便器では、排水ソケット本体と台座部との間をネジによって連結し、高さ調整を行っていたが、他の構成によって高さ調整を可能とすることもできる。変形例として、例えば、排水ソケット本体と台座部の連結部分を入れ子構造としておき、入れ子構造の重なり量を適宜調整し、その位置を楔等によって固定することによって調整を可能としても良い。或いは、排水ソケット本体と台座部との間にスペーサーを挿入できるように構成しておき、そのスペーサーの数、または、厚さを適宜変更することによって高さ調整を行っても良い。
【００４１】
次に、図２１乃至図２９を参照して、本発明の第３実施形態の水洗便器を説明する。第３実施形態に関しては、第１実施形態と同様の構成については説明を省略し、異なる部分のみ説明する。図２１は本発明の第３実施形態の水洗便器に使用されている排水ソケットの側面図であり、図２２は排水ソケットの底面図である。また、図２３乃至図２６は、排水ソケットの各部品を別々に示した側面図及び底面図である。図２７乃至図２９は、本発明の第３実施形態の水洗便器の設置方法を示す図である。
【００４２】
図２１及び図２２に示すように、本発明の第３実施形態の水洗便器に使用される排水ソケット５０は、排水ソケット本体５２と、支持部材である台座部材５４とを有する。排水ソケット本体５２は、水洗便器本体の排水路の出口端部と排水配管Ｄとを連結する。
【００４３】
図２３及び図２４に示すように、排水ソケット本体５２は概ねＬ字形の管状で、鉛直上方に向けて開口した流入口５２ａと、水平方向に向けて開口した流出口５２ｂと、を有する。また、排水ソケット本体５２には、一方の側面から流出口５２ｂの反対側の側面を通って、排水ソケット本体５２の他方の側面まで延びるように傾斜平面部５２ｃが形成されている。また、傾斜平面部５２ｃは、流出口５２ｂを排水配管Ｄに接続したとき、床面Ｆに対して所定の角度傾斜するように形成されている。
【００４４】
図２５及び図２６に示すように、台座部材５４は、Ｕ字形断面の柱状部５４ａと、柱状部の下端に設けられた２つのフランジ部５４ｃと、を有する。柱状部５４ａの上端面５４ｄは、床面Ｆに対して傾斜平面部５２ｃと同じ角度傾斜している。また、柱状部５４ａの上部は、調整部材である複数のＵ字形部材５４ｂを積層することによって構成されている。さらに、複数のＵ字形部材５４ｂは、スナップ結合により、互いに取付け、取り外し可能に、着脱自在に構成されている。また、フランジ部５４ｃは、柱状部５４ａのＵ字形の脚の部分から夫々外方に突出するように形成されている。各フランジ部５４ｃには、台座部材５４を床面Ｆに固定するための長孔５４ｅが形成されている。傾斜平面部５２ｃ及び台座部材５４は、高さ調整手段として機能する。
【００４５】
次に、図２７乃至図２９を参照して、本発明の第３実施形態の水洗便器の設置方法を説明する。まず、排水ソケット本体５２の流出口５２ｂを、壁面Ｗに設けられた排水配管Ｄに挿入する。次に、台座部材５４の柱状部５４ａが排水ソケット本体５２を取り囲むように、台座部材５４をソケット本体５２の下に挿入する。排水ソケット本体５２の傾斜平面部５２ｃと柱状部５４ａの上端面５４ｄは、同一の傾斜角を有しているので、傾斜平面部５２ｃと上端面５４ｄは、ぴったりと係合する。
【００４６】
また、壁面Ｗの排水配管Ｄが、図２１に示した位置よりも高い位置に設けられている場合には、図２７に示すように、台座部材５４を、図２１に示した位置よりも排水配管に近い位置に配置することによって、傾斜平面部５２ｃと上端面５４ｄを係合させることができる。逆に、排水配管Ｄが低い位置に設けられている場合には、台座部材５４を図２１に示した位置よりも排水配管から遠い位置に配置することによって、傾斜平面部５２ｃと上端面５４ｄを係合させることができる。また、台座部材５４の位置を調整することによって傾斜平面部５２ｃと上端面５４ｄを係合させることができない場合には、図２８に示すように、Ｕ字形部材５４ｂを積層する数を減じて傾斜平面部５２ｃと上端面５４ｄが係合できるようにする。或いは、排水配管Ｄが高い位置に開口している場合には、Ｕ字形部材５４ｂを積層する数を増やして傾斜平面部５２ｃと上端面５４ｄを係合できるようにする。
【００４７】
傾斜平面部５２ｃと上端面５４ｄが係合した状態で、長孔５４ｅに固定ネジを通して、台座部材５４を床面Ｆに仮止めする。次に、排水ソケット本体５２の流入口５２ａが正確に鉛直上方に向けられ、傾斜平面部５２ｃと上端面５４ｄがぴったりと係合するように、排水ソケット本体５２と台座部材５４の位置を微調整する。この際、台座部材５４は、長孔５４ｅに通されたネジによって仮止めされているので、台座部材５４の位置を動かすことができる。排水ソケット本体５２と台座部材５４の位置の微調整をした後、台座部材５４を床面Ｆに固定する。
【００４８】
次いで、図２９に示すように、水洗便器本体２を、排水路１２の出口端部が排水ソケット本体５２の流入口５２ａに挿入されるように配置する。この際、排水ソケット本体５２には鉛直下方に向う力が作用するが、排水ソケット本体５２は台座部材５４によって下方から支持されているので、排水ソケット本体５２の位置は変化しない。最後に、水洗便器本体２をボルトで床面に固定して水洗便器２の設置を終了する。
【００４９】
本発明の第３実施形態の水洗便器によれば、排水ソケット本体５２が台座部材５４によって真下から支持されているので、より堅固に排水ソケット本体５２を保持することができる。
【００５０】
次に、図３０及び図３１を参照して、本発明の第４実施形態の水洗便器を説明する。第４実施形態に関しては、第２実施形態と同様の構成については説明を省略し、異なる部分のみ説明する。図３０（ａ）は本発明の第４実施形態の水洗便器に使用されている排水ソケットの縦断面図であり、図３０（ｂ）は排水ソケットの平面図である。また、図３１は、本発明の第４実施形態の水洗便器の設置方法を示す断面図である。
【００５１】
図３０（ａ）、（ｂ）に示すように、本発明の第４実施形態の水洗便器に使用される排水ソケット６０は、排水ソケット本体６２と、この排水ソケット本体６２と高さ調節可能に連結された支持部材である台座部６４と、を有する。排水ソケット６０は、塩化ビニール等のプラスチック材料で構成するのが良い。
【００５２】
排水ソケット本体６２は、鉛直上方に向けて開口した流入口６２ａと、水平方向に向けて開口した流出口６２ｂと、流出口６２ｂの周囲に同心円状に形成された出口フランジ部６２ｆと、を有する。流入口６２ａにはパッキン２２が、流出口６２ｂにはパッキン２４が、夫々取付けられている。また、排水ソケット本体６２は、円錐状に広がりながら下方に延びるスカート部６２ｃと、スカート部６２ｃの中心で鉛直下方に延びている柱状部材６２ｄと、を有する。さらに、柱状部材６２ｄの下端には、鉛直方向に雌ネジ部６２ｅが形成されている。また、出口フランジ部６２ｆには、固定用のネジを通すための穴６２ｇが形成されている。
【００５３】
台座部６４は、長方形板状のベース６４ａと、長方形板状のベース６４ａの中央に配置されたの円板状の隆起部６４ｂと、を有する。隆起部６４ｂの中心には、鉛直上方に突出するように雄ネジ部６４ｃが形成されている。また、ベース６４ａには、排水ソケット６０を床面Ｆに固定するための２つの孔６４ｄが設けられている。ベース６４ａは、上方から見て上下、左右対称に構成されている。柱状部材６２ｄ及び台座部６４は、夫々、第１調整部材及び第２調整部材として機能し、第１調整部材、第２調整部材、及びそれらに形成された雌ネジ部６２ｅ、雄ネジ部６４ｃは、高さ調整手段を構成する。
【００５４】
隆起部６４ｂから突出する雄ネジ部６４ｃに、柱状部材６２ｄに形成された雌ネジ部６２ｅを螺合させることにより、排水ソケット本体６２と台座部６４が高さ調節可能に連結される。図３０（ａ）に示すように、雄ネジ部６４ｃが雌ネジ部６２ｅに完全にねじ込まれたとき、排水ソケット本体３２の高さは最も低くなり、雌ネジ部６２ｅを緩めると排水ソケット本体６２の高さは高くなり、雌ネジ部６２ｅを最大限緩めた位置で排水ソケット本体６２の高さは最も高くなる。好ましくは、図３１に示すように、高さ調節が完了した後に、排水ソケット本体６２と台座部６４との相対的な回転を止めるための回転止め部品６６を取り付けることができるように構成する。例えば、回転止め部品６６は、排水ソケット本体６２に設けられた孔６６ａ、６６ｂ、及び台座部６４に設けられた孔６６ｃを貫通するコの字形のピン部材として構成することができる。
【００５５】
次に、図３１を参照して、本発明の第４実施形態の水洗便器の設置方法を説明する。まず、壁面Ｗから突出する排水配管Ｄに壁フランジＧを被せ、壁フランジＧをネジＧ１によって壁面Ｗに固定する。次に、排水配管Ｄを所定の長さに切断し、排水配管Ｄの先端を壁フランジＧに密着するように漏斗状に広げる。好ましくは、排水配管Ｄの先端と壁フランジＧとをハンダ付けする。次いで、排水ソケット６０を排水配管Ｄの近くの床面Ｆに配置し、排水ソケット本体６２を回転させて、流出口６２ｂと排水配管Ｄの高さが整合するまで、雄ネジ部６４ｃと螺合している雌ネジ部６２ｅを緩める。ただし、ベース６４ａの長辺と流出口６２ｂが開口する方向は直角になる必要があるので、排水ソケット本体６２がこのような向きになるように調整する。また、排水ソケット本体６２の流出口６２ｂが、排水配管Ｄの正反対の位置で整合した場合には、排水ソケット６０を台座部６４ごと１８０゜回転させて排水ソケット本体６２の方向を整合させる。なお、雄ネジ部６４ｃのネジ山のピッチは排水ソケット本体６２に要求される位置決め公差よりも十分小さいので、ベース６４ａの長辺と流出口６２ｂの開口方向が直角になるように調整しても十分な精度で流出口６２ｂと排水配管Ｄを整合させることができる。
【００５６】
高さ調整をした後、図３１に示すように、回転止め部品６６を使用して排水ソケット本体６２と台座部６４との相対的な回転を止める。次いで、排水ソケット本体６２の流出口６２ｂの周りにパッキン２４を被せ、流出口６２ｂを壁フランジＧの穴の中に挿入する。流出口６２ｂ、壁フランジＧ、及び排水配管Ｄの間の水密性、気密性は、パッキン２４により確保される。次に、ネジ６８を出口フランジ６２ｆに形成された穴６２ｇに通し、出口フランジ６２ｆを壁フランジＧに固定する。さらに、ベース６４ａの孔６４ｄに固定ネジ（図示せず）を通してベース６４ａを床面Ｆに固定する。次いで、水洗便器本体を、水洗便器本体の排水路の出口端部が排水ソケット本体６２の流入口６２ａに挿入されるように配置する。この際、排水ソケット本体６２には鉛直下方に向う力が作用するが、排水ソケット本体６２は台座部６４によって下方から支持されているので、排水ソケット本体６２の位置は変化しない。また、流入口６２ａと水洗便器本体の排水路の間の水密性、気密性は、パッキン２２によって確保される。最後に、水洗便器本体をボルトで床面Ｆに固定して水洗便器の設置を終了する。
本発明の第４実施形態の水洗便器によれば、本発明をフランジタイプの排水ソケットに適用することができる。同様に、上述した本発明の第１、第３実施形態における排水ソケットをフランジタイプとすることもできる。
【００５７】
以上、本発明の好ましい実施形態を説明したが、上述した実施形態に種々の変更を加えることができる。特に、上述した実施形態では、水洗便器本体が給水タンク一体形の便器である場合について説明したが、水洗便器本体は、給水タンク密結形、水道直結形、給水タンク及び水道直結のハイブリット形等、任意の形式の便器に使用することができる。
【００５８】
【発明の効果】
以上説明したように、本発明の排水ソケット、水洗便器、及び、水洗便器設置方法によれば、壁面に設けられた排水配管と水洗便器本体の排水管の位置が整合していなくても、また、排水配管が設けられた壁面等の条件が好ましくない場合にも、水洗便器本体の排水路を壁面の排水配管に容易且つ確実に連結することができる。
【図面の簡単な説明】
【図１】本発明の第１実施形態の水洗便器を示す全体縦断面図である。
【図２】本発明の第１実施形態の水洗便器の排水ソケットを示す拡大断面図である。
【図３】本発明の第１実施形態の水洗便器の設置方法を示す断面図である。
【図４】本発明の第１実施形態の水洗便器の設置方法を示す断面図である。
【図５】本発明の第１実施形態の水洗便器の設置方法を示す断面図である。
【図６】本発明の第１実施形態の水洗便器の設置方法を示す断面図である。
【図７】本発明の第１実施形態の水洗便器の設置方法を示す断面図である。
【図８】本発明の第１実施形態の水洗便器の設置方法を示す断面図である。
【図９】本発明の第１実施形態の水洗便器の排水ソケットの変形例を示す図である。
【図１０】本発明の第２実施形態の水洗便器に使用されている排水ソケットの縦断面図及び平面図である。
【図１１】本発明の第２実施形態の水洗便器の排水ソケットの作用を示す断面図である。
【図１２】本発明の第２実施形態の水洗便器の排水ソケットの作用を示す断面図である。
【図１３】本発明の第２実施形態の水洗便器の排水ソケットの作用を示す断面図である。
【図１４】本発明の第２実施形態の水洗便器の設置方法を示す断面図である。
【図１５】本発明の第２実施形態の水洗便器の設置方法を示す断面図である。
【図１６】本発明の第２実施形態の水洗便器の設置方法を示す断面図である。
【図１７】本発明の第２実施形態の水洗便器の設置方法を示す断面図である。
【図１８】本発明の第２実施形態の水洗便器の設置方法を示す断面図である。
【図１９】本発明の第２実施形態の水洗便器の設置方法を示す断面図である。
【図２０】本発明の第２実施形態の水洗便器の設置方法を示す断面図である。
【図２１】本発明の第３実施形態の水洗便器に使用されている排水ソケットを示す側面図である。
【図２２】本発明の第３実施形態の水洗便器に使用されている排水ソケットを示す底面図である。
【図２３】排水ソケットのソケット本体部を示す側面図である。
【図２４】排水ソケットのソケット本体部を示す底面図である。
【図２５】排水ソケットの台座部を示す側面図である。
【図２６】排水ソケットの台座部を示す底面図である。
【図２７】本発明の第３実施形態の水洗便器の設置方法を示す図である。
【図２８】本発明の第３実施形態の水洗便器の設置方法を示す図である。
【図２９】本発明の第３実施形態の水洗便器の設置方法を示す図である。
【図３０】本発明の第４実施形態の水洗便器に使用されている排水ソケットの縦断面図及び平面図である。
【図３１】本発明の第４実施形態の水洗便器の設置方法を示す図である。
【図３２】従来の水洗便器の設置方法（Ｐ形配管方法）を示す図である。
【符号の説明】
Ｄ      排水配管
Ｆ      床面
Ｗ      壁面
１      水洗便器
２      水洗便器本体
４      排水ソケット
６      給水タンク
８      ボウル部
１０    入口水路
１２    排水路
１４    排水ソケット本体
１４ｃ  蛇腹構造
１６    Ｌ字形金具
１８    ボルト部材
２０    ナット
２２    パッキン
２４    パッキン
３０    排水ソケット
３２    排水ソケット本体
３２ｃ  スカート部
３２ｄ  柱状部材
３２ｅ  雌ネジ部
３４    台座部
３４ａ  ベース
３４ｂ  隆起部
３４ｃ  雄ネジ部
４６    回転止め部品
５０    排水ソケット
５２    排水ソケット本体
５２ｃ  傾斜平面部
５４    台座部材
５４ａ  柱状部
５４ｂ  Ｕ字形部材
５４ｃ  フランジ部
６０    排水ソケット
６２    排水ソケット本体
６２ｃ  スカート部
６２ｄ  柱状部材
６２ｅ  雌ネジ部
６２ｆ  出口フランジ部
６４    台座部
６４ａ  ベース
６４ｂ  隆起部
６４ｃ  雄ネジ部
６６    回転止め部品
【図１】
2005048407.tif 000003
【図２】
2005048407.tif 000004
【図３】
2005048407.tif 000005
【図４】
2005048407.tif 000006
【図５】
2005048407.tif 000007
【図６】
2005048407.tif 000008
【図７】
2005048407.tif 000009
【図８】
2005048407.tif 000010
【図９】
2005048407.tif 000011
【図１０】
2005048407.tif 000012
【図１１】
2005048407.tif 000013
【図１２】
2005048407.tif 000014
【図１３】
2005048407.tif 000015
【図１４】
2005048407.tif 000016
【図１５】
2005048407.tif 000017
【図１６】
2005048407.tif 000018
【図１７】
2005048407.tif 000019
【図１８】
2005048407.tif 000020
【図１９】
2005048407.tif 000021
【図２０】
2005048407.tif 000022
【図２１】
2005048407.tif 000023
【図２２】
2005048407.tif 000024
【図２３】
2005048407.tif 000025
【図２４】
2005048407.tif 000026
【図２５】
2005048407.tif 000027
【図２６】
2005048407.tif 000028
【図２７】
2005048407.tif 000029
【図２８】
2005048407.tif 000030
【図２９】
2005048407.tif 000031
【図３０】
2005048407.tif 000032
【図３１】
2005048407.tif 000033
【図３２】
2005048407.tif 000034